(57)【要約】【課題】電解水生成装置で生成した電荷水の効果を引き出して、電解水を十分に活用する。【解決手段】洗濯機は、水槽と、水槽内に回転可能に設けられた回転槽と、外部の給水源から供給される水を受けてその水を水槽及び回転槽に注水する注水ケースと、水を電気分解することで電解水としてアルカリ性水と酸性水とを生成する電解水生成装置と、を備える。電解水生成装置は、アルカリ性水及び酸性水の一方を吐出する第１吐出口と、アルカリ性水及び酸性水の他方を吐出する第２吐出口と、を有する。第１吐出口は注水ケース内に接続されており、第１吐出口から吐出された電解水は、注水ケース内で洗剤と混ざって水槽及び回転槽に注水される。【選択図】図１
2019080791.tif 000002
【特許請求の範囲】
【請求項１】
水槽と、
前記水槽内に回転可能に設けられた回転槽と、
外部の給水源から供給される水を受けてその水を前記水槽及び前記回転槽に注水する注水ケースと、
水を電気分解することで電解水としてアルカリ性水と酸性水とを生成する電解水生成装置と、
を備え、
前記電解水生成装置は、前記アルカリ性水及び前記酸性水の一方を吐出する第１吐出口と、前記アルカリ性水及び前記酸性水の他方を吐出する第２吐出口と、を有し、
前記第１吐出口は前記注水ケース内に接続されており、
前記第１吐出口から吐出された電解水は、前記注水ケース内で洗剤と混ざって前記水槽及び前記回転槽に注水される、
洗濯機。
【請求項２】
前記第１吐出口は、前記注水ケース内に設けられた洗剤収容部に接続されている、
請求項１に記載の洗濯機。
【請求項３】
前記第２吐出口は前記注水ケース外に接続されている、
請求項１又は２に記載の洗濯機。
【請求項４】
前記水槽内に貯留された水を排水するための排水管を備え、
前記第２吐出口は、前記水槽外であって前記排水管に接続されている、
請求項３に記載の洗濯機。
【請求項５】
前記電解水生成装置は、前記注水ケースに取り付けられている、
請求項１から４のいずれか一項に記載の洗濯機。
【発明の詳細な説明】
【技術分野】
【０００１】
本発明の実施形態は、洗濯機に関する。
【背景技術】
【０００２】
従来、電解水生成装置によって水を電気分解することでアルカリ性水や酸性水等の電解水を生成し、その電解水を洗濯に用いることが考えられている。しかし、従来構成では、電解水の効果を十分に引き出すことができておらず、その結果、電解水を十分に活用できていなかった。
【先行技術文献】
【特許文献】
【０００３】
【特許文献１】特開２００４−５００４６号公報
【発明の概要】
【発明が解決しようとする課題】
【０００４】
そこで、電解水生成装置で生成した電解水の効果を引き出して、電解水を十分に活用することができる洗濯機を提供する。
【課題を解決するための手段】
【０００５】
実施形態の洗濯機は、水槽と、前記水槽内に回転可能に設けられた回転槽と、外部の給水源から供給される水を受けてその水を前記水槽及び前記回転槽に注水する注水ケースと、水を電気分解することで電解水としてアルカリ性水と酸性水とを生成する電解水生成装置と、を備える。前記電解水生成装置は、前記アルカリ性水及び前記酸性水の一方を吐出する第１吐出口と、前記アルカリ性水及び前記酸性水の他方を吐出する第２吐出口と、を有する。前記第１吐出口は前記注水ケース内に接続されており、前記第１吐出口から吐出された電解水は、前記注水ケース内で洗剤と混ざって前記水槽及び前記回転槽に注水される。
【図面の簡単な説明】
【０００６】
【図１】第１実施形態による洗濯機の概略構成を正面側から示す断面図
【図２】第１実施形態による洗濯機について、注水ケース内の概略構成を示す図
【図３】第１実施形態による洗濯機について、電解水生成装置の構成を概略的に示す図
【図４】第１実施形態の洗濯機について、電気的構成を示すブロック図
【図５】第２実施形態による洗濯機について、注水ケース内の概略構成を示す図
【発明を実施するための形態】
【０００７】
以下、複数の実施形態について図面を参照しながら説明する。なお、各実施形態で実質的に同一の要素には同一の符号を付し、説明を省略する。
【０００８】
（第１実施形態）
以下では、第１実施形態について図１〜図４を参照して説明する。
図１に示す洗濯機１０は、外箱１１、トップカバー１２、水槽１３、回転槽１４、パルセータ１５、モータ１６、排水機構部１７、及び注水装置２０を備えている。なお、洗濯機１０の設置面側つまり鉛直下側を洗濯機１０の下側とし、設置面とは反対側つまり鉛直上側を洗濯機１０の上側とする。また、図１の紙面左右方向を、洗濯機１０の左右方向とする。洗濯機１０は、回転槽１４の回転軸が鉛直方向を向いたいわゆる縦軸型の洗濯機である。なお、洗濯機は、縦軸型に限られず、回転槽の回転軸が水平又は後方へ向かって下降傾斜した横軸型いわゆるドラム式洗濯機であっても良い。
【０００９】
外箱１１は、例えば鋼板によって全体として矩形箱状に構成されている。トップカバー１２は、例えば合成樹脂製であって、外箱１１の上部に設けられている。水槽１３及び回転槽１４は、洗濯物を収容する洗濯槽及び脱水槽として機能する。水槽１３は、外箱１１内に設けられている。水槽１３及び回転槽１４は、上面が開口した容器状に構成されている。回転槽１４は、複数の小孔１４１を有しており、この小孔１４１を通して、回転槽１４と水槽１３との間で水が行き来する。また、水槽１３の底部には、排水口１３１が形成されている。
【００１０】
モータ１６は、図示しないクラッチ機構を介して回転槽１４に接続されている。図示しないクラッチ機構は、モータ１６の回転を回転槽１４に対して選択的に伝達する。また、モータ１６は、パルセータ１５に直接的に接続されている。モータ１６の回転は、パルセータ１５に対して連続的に伝達される。モータ１６及び図示しないクラッチ機構は、洗い時及びすすぎ時には、回転槽１４の回転を停止させた状態でモータ１６の駆動力をパルセータ１５に伝達してパルセータ１５を低速で直接正逆回転駆動する。一方、モータ１６及び図示しないクラッチ機構は、脱水時等にはモータ１６の駆動力を回転槽１４に伝達して、回転槽１４及びパルセータ１５を一方向に高速で回転駆動させる。
【００１１】
排水機構部１７は、水槽１３の底部外側に設けられている。排水機構部１７は、排水管１７１と、排水弁１７２と、を有して構成されている。排水管１７１は、水槽１３の底部に設けられた排水口１３１と、外箱１１の外部とを接続している。排水弁１７２は、電磁的に開閉動作可能な液体用の開閉弁であり、排水管１７１の途中部分に設けられている。排水機構部１７は、排水弁１７２を閉じることで、水槽１３内に水を貯留可能にし、排水弁１７２を開くことで、水槽１３内に貯留されている水を機外に排水する。
【００１２】
注水装置２０は、外箱１１の上部にあってトップカバー１２の内部に設けられている。注水装置２０は、接続口２１、注水口２２、洗剤側給水弁２３、柔軟剤側給水弁２４、電解水側給水弁２５、注水ケース３０、及び図２に示す電解水生成装置４０を有している。接続口２１は、図示しないホースを介して例えば水道の蛇口等の外部の給水源に接続される。図２にも示すように、接続口２１の下流側は複数に分岐して注水ケース３０に接続されている。本実施形態の場合、接続口２１の下流側は３つの経路に分岐して、注水ケース３０に接続されている。
【００１３】
注水ケース３０は、接続口２１から供給された水を注水ケース３０内に通して、注水口２２から水槽１３及び回転槽１４内へ注水する。注水ケース３０は、ケース本体３１、洗剤収容部３２、及び柔軟剤収容部３３を有している。ケース本体３１は、例えば合成樹脂製の容器状に形成されている。ケース本体３１の上流側は、接続口２１に接続されており外部の給水源からの水が流入する。なお、外部の給水源は、水道に限られず、例えば浴槽に貯留された風呂水等であっても良い。また、ケース本体３１の下流側は、注水口２２に接続されている。ケース本体３１内に流入した水は、注水口２２から水槽１３及び回転槽１４内に注水される。
【００１４】
洗剤収容部３２は、例えば上面が開口した容器状に形成されており、ケース本体３１の内部に設けられている。洗剤収容部３２は、ケース本体３１に対して洗濯機１０の前方側へ引き出し可能に構成されている。また、洗剤収容部３２は、通水部３２１を有している。通水部３２１は、洗剤収容部３２の容器状の底部を貫いて形成されており、下方へ向かって開口している。洗剤収容部３２の内部は、通水部３２１を介してケース本体３１内の底部側に連通している。また、洗剤収容部３２の底部は、通水部３２１に向かって下降傾斜している。ユーザは、洗剤を使用する運転をする際、洗剤収容部３２を引き出して、洗剤収容部３２内に洗剤を投入する。
【００１５】
柔軟剤収容部３３は、例えば上面が開口した容器状に形成されており、ケース本体３１の内部に設けられている。柔軟剤収容部３３は、ケース本体３１に対して洗濯機１０の前方側へ引き出し可能に構成されている。また、柔軟剤収容部３３は、サイフォン構造部３３１を有している。柔軟剤収容部３３の内部は、サイフォン構造部３３１を介してケース本体３１内の底部側に連通している。ユーザは、柔軟剤を使用する洗濯運転を行う際、柔軟剤収容部３３を引き出して柔軟剤収容部３３内に柔軟剤を投入する。
【００１６】
洗剤側給水弁２３、柔軟剤側給水弁２４、及び電解水側給水弁２５は、いずれも電磁的に開閉動作可能な液体用の開閉弁である。洗剤側給水弁２３は、接続口２１と注水ケース３０との間、具体的には接続口２１と洗剤収容部３２との間に設けられている。すなわち、洗剤側給水弁２３の流入側は接続口２１に接続され、洗剤側給水弁２３の吐出側は洗剤収容部３２内に接続されている。
【００１７】
この構成において、洗剤側給水弁２３が開放されると、外部の給水源から接続口２１に供給された水は、注水ケース３０内つまりケース本体３１内に流入し、洗剤収納部３２に供給される。そして、洗剤収納部３２に供給された水は、通水部３２１を通ってケース本体３１の底部側に流れ落ち、その後、注水口２２から水槽１３及び回転槽１４内に注水される。このとき、洗剤収容部３２内に洗剤が収容されていれば、その洗剤は、洗剤側給水弁２３から供給された水に押し流されて、注水口２２から水槽１３及び回転槽１４内へ流し落とされる。
【００１８】
柔軟剤側給水弁２４は、接続口２１と注水ケース３０との間、具体的には接続口２１と柔軟剤収納部３３との間に設けられている。すなわち、柔軟剤側給水弁２４の流入側は接続口２１に接続され、柔軟剤側給水弁２４の吐出側は柔軟剤収納部３３内に接続されている。
【００１９】
この構成において、柔軟剤側給水弁２４が開放されると、外部の給水源から接続口２１に供給された水は、注水ケース３０のケース本体３１内に流入し、柔軟剤収容部３３に供給される。そして、柔軟剤収容部３３に供給された水が一定量溜まると、柔軟剤収容部３３内に溜まった水は、サイフォン機構部３３１を通ってケース本体３１の底部側へ流れ落ち、その後、注水口２２から水槽１３及び回転槽１４内へ注水される。このとき、柔軟剤収容部３３内に柔軟剤が収容されていれば、その柔軟剤は、柔軟剤側給水弁２４から供給された水に溶けて押し流されて、注水口２２から水槽１３及び回転槽１４内へ流し落とされる。
【００２０】
電解水側給水弁２５は、接続口２１と電解水生成装置４０との間に設けられており、接続口２１から電解水生成装置４０へ至る経路を開閉する。すなわち、電解水側給水弁２５の流入側は接続口２１に接続され、電解水側給水弁２５の吐出側は電解水生成装置４０に接続されている。電解水側給水弁２５が開放されると、外部の給水源から接続口２１に供給された水は、電解水生成装置４０に供給される。
【００２１】
電解水生成装置４０は、水を電気分解することで電解水としてアルカリ性水と酸性水とを生成するものである。本実施形態の場合、電解水生成装置４０は、水道等の外部の給水源から供給される水を電気分解する。電解水生成装置４０は、図２に示すように、注水ケース３０に取り付けられてユニット化されている。本実施形態の場合、電解水生成装置４０は、ケース本体３１の内部に設けられている。
【００２２】
電解水生成装置４０は、図２及び図３に示すように、第１吐出口４１、第２吐出口４２、及び流入口４３を有する電解槽５０を主体として構成されている。流入口４３は、電解水側給水弁２５の吐出側に接続されている。外部の給水源から供給される水が電解槽５０内で電気分解されることで、アルカリ性水及び酸性水が生成される。
【００２３】
第１吐出口４１は、電解水生成装置４０で生成されたアルカリ性水と酸性水とのうち一方を吐出する。また、第２吐出口４２は、電解水生成装置４０で生成されたアルカリ性水と酸性水とのうち他方つまり第１吐出口４１から吐出されない方の電解水を吐出する。
【００２４】
第１吐出口４１と第２吐出口４２とのうち一方、この場合、第１吐出口４１は、注水ケース３０内つまりケース本体３１内に接続されている。本実施形態の場合、第１吐出口４１は、洗剤収納部３２に接続されている。したがって、第１吐出口４１から吐出される電解水は、注水ケース３０内つまりケース本体３１内に供給され、洗剤収納部３２内を通って、通水部３２１からケース本体３１の底部側に流れ落ち、その後、注水口２２から水槽１３及び回転槽１４内に注水される。このため、第１吐出口４１は、注水側吐出口４１とも称することができる。
【００２５】
第１吐出口４１と第２吐出口４２とのうち他方、この場合、第２吐出口４２は、注水ケース３０外つまりケース本体３１外でかつ水槽１３外に接続されている。本実施形態の場合、第２吐出口４２は、図１に示すように、排水弁１７２の下流側の排水管１７１に接続されている。この場合、第２吐出口４２と排水管１７１とは、例えば金属製の管や樹脂製のホース等で構成された接続管１８によって接続されている。第２吐出口４２から吐出される電解水は、接続管１８及び排水管１７１を通って、機外へ排出される。このため、第２吐出口４２は、排水側吐出口４２とも称することができる。
【００２６】
本実施形態において、電解水生成装置４０は、図３に示すように、電解槽５０内を２つの室５０１、５０２に分けた２室型の電解方式を採用している。電解水生成装置４０は、図３に示すように、電解槽５０、第１電極５１、第２電極５２、及び隔膜５３を有して構成されている。隔膜５３は、イオン交換膜とも称されるものであり、電解槽５０の内部を第１室５０１と第２室５０２とに仕切っている。
【００２７】
この場合、第１吐出口４１は、第１室５０１に接続されている。また、第２吐出口４２は、第２室５０２に接続されている。そして、流入口４３は、第１室５０１及び第２室５０２の両方に接続されている。この構成において、矢印Ａで示すように、流入口４３から第１室５０１に流入した水は、第１室５０１内で電解水となって第１吐出口４１から吐出される。また、矢印Ｂで示すように、流入口４３から第２室５０２に流入した水は、第２室５０２内で電解水となって第２吐出口４２から吐出される。
【００２８】
第１電極５１は、第１室５０１内に設けられている。また、第２電極５２は、第２室内に設けられている。第１電極５１及び第２電極５２は、それぞれ電流切替部２６を介して直流電源２７に接続されている。電流切替部２６は、例えばＨブリッジ回路等で構成されており、第１電極５１及び第２電極５２に流れる電流の向きを正逆反転するように切り替えることができる。すなわち、第１電極５１及び第２電極５２の極性は、電流切替部２６によって切り替えられる。
【００２９】
例えば第１電極５１を陽極とし第２電極５２を陰極とした場合、第１室５０１内では水道水よりもｐＨ値が低い酸性水が生成され、第２室５０２内では水道水よりもｐＨ値が高いアルカリ性水が生成される。そのため、第１電極５１を陽極とし第２電極５２を陰極とした場合には、第１吐出口４１からは酸性水が吐出され、第２吐出口４２からはアルカリ性水が吐出される。この場合、第１吐出口４１は酸性水吐出口として機能し、第２吐出口４２はアルカリ性水吐出口として機能する。そして、第１吐出口４１から吐出された酸性水は、注水ケース３０内を通って、水槽１３及び回転槽１４内に注水される。一方、第２吐出口４２から吐出されたアルカリ性水は、接続管１８及び排水管１７１を通って機外に排出される。
【００３０】
また、例えば第１電極５１を陰極とし第２電極５２を陽極とした場合、第１室５０１内ではアルカリ性水が生成されて、第２室５０２内では酸性水が生成される。そのため、第１電極５１を陰極とし第２電極５２を陽極とした場合には、第１吐出口４１からはアルカリ性水が吐出され、第２吐出口４２からは酸性水が吐出される。この場合、第１吐出口４１はアルカリ性水吐出口として機能し、第２吐出口４２は酸性水吐出口として機能する。そして、第１吐出口４１から吐出されたアルカリ性水は、注水ケース３０内を通って、水槽１３及び回転槽１４内に注水される。一方、第２吐出口４２から吐出された酸性水は、接続管１８及び排水管１７１を通って機外に排出される。
【００３１】
なお、電解水生成装置４０は、電解槽内を２室に分けた２室型の電解方式に限られない。電解水生成装置４０は、例えば隔膜５３を有さない１室型の電解方式を採用することもできるし、隔膜によって電解槽内を３室に分けた３室型の電解方式を採用することもできる。
【００３２】
洗濯機１０は、図４に示すように、制御装置２８を備えている。制御装置２８は、マイクロコンピュータなどから構成されており、洗濯機１０の作動全般を制御する。モータ１６、排水弁１７２、洗剤側給水弁２３、柔軟剤側給水弁２４、電解水側給水弁２５、及び電流切替部２６は、それぞれ制御装置２８に電気的に接続されており、制御装置２８からの制御信号に基づいて駆動制御される。
【００３３】
以上説明した実施形態によれば、洗濯機１０は、水を電気分解することで電解水としてアルカリ性水と酸性水とを生成する電解水生成装置４０を備える。電解水生成装置４０は、アルカリ性水及び酸性水の一方を吐出する第１吐出口４１と、アルカリ性水及び酸性水の他方を吐出する第２吐出口４２と、を有している。第１吐出口４１は注水ケース３０内に接続されている。そして、第１吐出口４１から吐出された電解水は、注水ケース３０内で洗剤と混ざって水槽１３及び回転槽１４に注水される。
【００３４】
これによれば、例えば洗剤を用いた洗い運転を行う際の注水において、制御装置２８は、第１電極５１を陰極とし第２電極５２を陽極とした状態で、電解水側給水弁２５を開くことができる。これにより、注水ケース３０内には、アルカリ性水が供給される。そして、注水ケース３０内に供給されたアルカリ性水は、洗剤収納部３２内に収納された洗剤と注水ケース３０内で混ざって洗濯水となってから、水槽１３及び回転槽１４内に注水される。
【００３５】
すなわち、この構成によれば、水槽１３内に注水される水で希釈される前の濃度の高い状態の洗剤を、注水ケース３０内においてアルカリ性水と混ぜることができる。これにより、後述するように洗剤の能力を効果的に高めることができる。更に、水槽１３内に拡散される前の段階の洗剤が注水ケース３０内でアルカリ性水と混ざることで、水槽１３内に投入される洗剤全体を満遍なくアルカリ性水と接触させることができる。その結果、洗剤をアルカリ性水に十分に溶解させることができる。
【００３６】
ここで、アルカリ性水は、洗剤と同様に、洗濯物に付着した皮脂汚れを分解する作用を有している。そのため、洗い行程の際の注水において、洗剤とアルカリ性水とを混ぜることで、洗剤による洗浄作用に、アルカリ性水による洗浄作用も付加することができる。したがって、洗濯水の洗浄効果を高めることができるとともに、洗剤の使用量を削減することができる。その結果、洗剤とアルカリ性水との相互作用によって、アルカリ性水の効果を十分に引き出して、アルカリ性水を十分に活用することができる。
【００３７】
また、例えば酸性の漂白剤を用いる場合や浸け置き洗い、若しくはすすぎの場合等において、制御装置２８は、第１電極５１を陽極とし第２電極５２を陰極とした状態で、電解水側給水弁２５を開くことができる。これにより、第１吐出口４１からは酸性水が吐出されて、その酸性水は、水槽１３及び回転槽１４内に注水される。
【００３８】
ここで、酸性水は、漂白作用を有している。このため、例えば浸け置き洗いに酸性水を用いることで、その浸け置き洗いに酸性水の漂白作用や除菌作用を付加することができる。これにより、漂白剤の使用量を削減することができる。また、酸性水は、洗濯物中に残留しているアルカリ性の界面活性剤を中和する機能も有している。このため、例えばすすぎに酸性水を用いることで、洗濯物中の界面活性剤を中和させて、そのすすぎに柔軟作用つまりリンス効果を付加することもできる。これにより、柔軟剤の使用量も削減することができる。更に酸性水は、除菌作用も有している。そのため、例えばすすぎに酸性水を用いることで、そのすすぎに除菌作用も付加することができる。このように、本実施形態によれば、酸性水の効果を十分に引き出して、酸性水を十分に活用することができる。
【００３９】
また、第１吐出口４１は、注水ケース３０内に設けられた洗剤収容部３２に接続されている。これによれば、第１吐出口４１から吐出された電解水は、まず洗剤収容部３２に流入する。そのため、洗剤収容部３２に収容されている洗剤と第１吐出口４１から吐出された電解水とを、限られた空間である注水ケース３０内で半強制的に効率よく混ぜることができ、その結果、洗剤と電解水との相互作用をより効果的に引き出すことができる。
【００４０】
ここで、第１吐出口４１から吐出された電解水と、第２吐出口４２から吐出された電解水とが混ざると、中和されてその電解水の効果が低減してしまう。そこで、第２吐出口４２は注水ケース３０外に接続されている。これによれば、第２吐出口４２から吐出された電解水が、注水ケース３０内に流入して、第１吐出口４１から注水ケース３０内に流入した電化水と混ざることが防がれる。これにより、第１吐出口４１から吐出された一方の電解水と第２吐出口４２から吐出された他方の電解水とが注水ケース３０内で混ざって中和されてしまうことが防止される。その結果、第１吐出口４１から吐出された電解水の効果を弱めることなく十分に発揮させることができる。
【００４１】
また、第２吐出口４２は、水槽１３外であって排水管１７１に接続されている。このため、第２吐出口４２から吐出された電解水は、水槽１３に流入することなく排水される。これによれば、第２吐出口４２から吐出された電解水が水槽１３内に流入して、第１吐出口４１から吐出されて水槽１３内に注水された電解水と混ざることが防がれる。これにより、第１吐出口４１から吐出された一方の電解水と第２吐出口４２から吐出された他方の電解水とが水槽１３内及び回転槽１４内で混ざって中和されてしまうことが防止される。その結果、第１吐出口４１から吐出された電解水の効果を弱めることなく更に効率良く発揮させることができる。
【００４２】
電解水生成装置４０は、注水ケース３０に取り付けられている。具体的には、電解水生成装置４０は、注水ケース３０の内部のうちでも洗剤収納部３２や柔軟剤収納部３３より上方に位置しており、第１吐出口４１及び第２吐出口４２とともに注水ケース３０内に収容されている。この場合、第２吐出口４２から接続管１８に至る経路の少なくとも一部は、注水ケース３０内に収容されている。
【００４３】
すなわち、電解水生成装置４０は、注水ケース３０とユニット化されている。これによれば、接続口２１から分岐して接続された洗剤側給水弁２３、柔軟剤側給水弁２４、電解水側給水弁２５の各給水弁の出口を、それぞれ注水ケース３０に対して接続するだけの単純作業によって各給水経路を接続することができる。その結果、本構成によれば、洗濯機１０に対する電解水生成装置４０の取り付けが容易になる。
【００４４】
しかも、電解水生成装置４０は、注水ケース３０内において上部に位置して設けられている。つまり、電解水生成装置４０は、注水ケース３０内において洗剤収納部３２や柔軟剤収納部３３よりも上方に位置して設けられている。これによれば、電解水生成装置４０は、洗剤収納部３２や柔軟剤収納部３３、ひいては通水部３２１や注水口２２から距離を離すことができる。これにより、電解水生成装置４０が注水ケース３０内に収容されているにも関わらず、同様に注水ケース３０内に収容されている洗剤収納部３２や柔軟剤収納部３３で跳ねた水が電解水生成装置４０に降りかかることを抑制できる。その結果、電解水生成装置４０に関して水跳ねなどによる絶縁性の低下を抑制することができる。
【００４５】
なお、洗剤を用いた洗い運転を行う際の注水において、電解水側給水弁２５を開くのと同時期に洗剤側給水弁２３又は柔軟剤側給水弁２４を開いても良い。これによれば、水槽１３及び回転槽１４に対する注水時間を短縮することができる。
【００４６】
（第２実施形態）
次に、第２実施形態について図５を参照して説明する。
第２実施形態において、第１吐出口４１も、注水ケース３０のケース本体３１内に接続されている。この場合、第１吐出口４１は、洗剤収容部３２には接続されていない。この構成によれば、洗剤側給水弁２３と電解水側給水弁２５とを同時期に開放することで、洗剤収容部３２から流し落とされた洗剤と、第１吐出口４１から吐出された電解水とが、ケース本体３１内で混ざって水槽１３及び回転槽１４内に注水される。したがって、この第２実施形態によっても、上記第１実施形態とほぼ同等の作用効果が得られる。
【００４７】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
図面中、１０は洗濯機、１３は水槽、１４は回転槽、１７１は排水管、３０は注水ケース、３２は洗剤収容部、４０は電解水生成装置、４１は第１吐出口、４２は第２吐出口、を示す。
【図１】
2019080791.tif 000003
【図２】
2019080791.tif 000004
【図３】
2019080791.tif 000005
【図４】
2019080791.tif 000006
【図５】
2019080791.tif 000007